【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
無線通信装置であって、
複数のアンテナと、
複数の送信回路と、ここで、前記複数の送信回路のおのおのは、異なるラジオ・アクセス技法にしたがって送信するように構成されている、
前記無線通信装置の検出された動作モードと、前記複数の送信回路のおのおののデータの優先度レベルとに基づいて、さらに前記送信回路のおのおののアンテナ優先権に基づいて、前記複数のアンテナのうちの対応する１つを介して無線通信を送信するように、前記複数の送信回路のおのおのを選択的に切り換えるように構成されたコントローラとを備え、
おのおののアンテナ優先権は、前記複数の送信回路のおのおのの電力制限、または、前記複数の送信回路のうちの少なくとも１つの送信電力レベル、のうちの少なくとも１つの基づく無線通信装置。
【請求項２】
前記コントローラはさらに、前記検出された動作モードと前記優先度レベルの組み合わせについて、前記複数の送信回路の、前記複数のアンテナへの予め決定されたマッピングに基づいて選択的に切り換えるように構成された、請求項１の無線通信装置。
【請求項３】
前記予め決定されたマッピングを格納するように構成されたメモリ、をさらに備える請求項２の無線通信装置。
【請求項４】
前記複数の送信回路の、前記複数のアンテナへの予め決定されたマッピングは、前記動作モード、前記複数の送信回路のうちのアクティブな送信回路の現在のセット、前記アクティブな送信回路のセットの優先度レベル、および、前記複数の送信回路のおのおののアンテナ優先権、からなるおのおのの組み合わせについて固定されている、請求項２の無線通信装置。
【請求項５】
前記複数の送信回路のおのおののアンテナ優先権は、前記複数の送信回路のおのおのの送信電力制限に基づき、前記優先度レベルは、データ通信よりも高い優先度を有する音声通信またはデータ・オンリー通信に基づく、請求項４の無線通信装置。
【請求項６】
前記コントローラは、前記検出された動作モードを、決定された値にマップすることと、前記決定された値を、ルックアップ・テーブルに提供することとによって、前記予め決定されたマッピングに基づいて選択的に切り換えるように構成され、
前記ルックアップ・テーブルは、前記決定された値に基づいて、前記予め決定されたマッピングを提供するように構成された、請求項４の無線通信装置。
【請求項７】
前記コントローラはさらに、前記複数の送信回路のうちのどれがアクティブであるかに基づいて、選択的に切り換えるように構成された、請求項１の無線通信装置。
【請求項８】
前記複数のアンテナのおのおのに対する物体の近接度を感知するように構成された複数の近接度センサをさらに備え、
前記検出された動作モードは、前記複数の近接度センサの状態情報に少なくとも部分的に基づく、請求項１の無線通信装置。
【請求項９】
前記コントローラは、さらに前記無線通信装置のパフォーマンス特性に基づいて、前記複数のアンテナのうちの対応する１つを介して通信するように、前記複数の送信回路のおのおのを選択的に切り換えるように構成された、請求項１の無線通信装置。
【請求項１０】
前記パフォーマンス特性は、前記複数の送信回路のうちの少なくとも１つの送信電力レベルと、前記複数のアンテナのうちの少なくとも２つのアンテナ間の干渉量と、前記複数の送信回路のうちの少なくとも１つの目標サービス品質レベルと、前記複数の送信回路のうちの少なくとも１つの送信電力レベルの規制要件とを備える、請求項９の無線通信装置。
【請求項１１】
前記動作モードは、前記無線通信装置のユーザへの近接度と、前記無線通信装置の方位と、通信モードと、前記複数のアンテナのうちの何れかが遮られていることに基づく情報と、のうちの少なくとも１つに基づく、請求項１の無線通信装置。
【請求項１２】
前記コントローラは、前記複数の送信回路のうちのアクティブな送信回路の数の変化と、前記複数の送信回路のおのおののデータの優先度レベルの変化と、前記無線通信装置の動作モードの変化と、のうちの少なくとも１つを示すインジケーションを受信することに応じて、選択的に切り換えるように構成された、請求項１の無線通信装置。
【請求項１３】
前記ラジオ・アクセス技法は、無線広域ネットワーク、無線ローカル・エリア・ネットワーク、音声通信を送信するための無線ネットワーク、データ通信を送信するための無線ネットワーク、またはこれらの任意の組み合わせのうちの少なくとも１つに対応する、請求項１の無線通信装置。
【請求項１４】
無線通信装置において実施される方法であって、
前記無線通信装置の検出された動作モードと、複数の送信回路のおのおののデータの優先度レベルのうちの少なくとも１つを示すインジケーションを受信することと、ここで、前記複数の送信回路のおのおのは、異なるラジオ・アクセス技法にしたがって送信するように構成されている、
前記無線通信装置の検出された動作モードと、前記複数の送信回路のおのおののデータの優先度レベルに基づいて、さらに前記送信回路のおのおののアンテナ優先権に基づいて、前記複数の送信回路のおのおのを、複数のアンテナのうちの対応する１つを介して無線通信を送信するように選択的に切り換えることとを備え、
おのおののアンテナ優先権は、前記複数の送信回路のおのおのの電力制限、または、前記複数の送信回路のうちの少なくとも１つの送信電力レベル、のうちの少なくとも１つの基づく方法。
【請求項１５】
前記選択的に切り換えることは、前記検出された動作モードと、前記優先度レベルの組み合わせについて、前記複数の送信回路の、前記複数のアンテナへの予め決定されたマッピングに基づいて選択的に切り換えることを備える、請求項１４に記載の方法。
【請求項１６】
前記複数の送信回路の、前記複数のアンテナへの予め決定されたマッピングは、前記動作モード、前記複数の送信回路のうちのアクティブな送信回路の現在のセット、前記アクティブな送信回路のセットの優先度レベル、および、前記複数の送信回路のおのおののアンテナ優先権、からなるおのおのの組み合わせについて固定されている、請求項１５に記載の方法。
【請求項１７】
前記複数の送信回路のおのおののアンテナ優先権は、前記複数の送信回路のおのおのの送信電力制限に基づき、前記優先度レベルは、データ通信よりも高い優先度を有する音声通信、または、データ・オンリー通信に基づく、請求項１６に記載の方法。
【請求項１８】
前記検出された動作モードを、決定された値にマップすることと、
前記決定された値を、ルックアップ・テーブルに提供することとをさらに備え、
前記ルックアップ・テーブルは、前記決定された値に基づいて、前記予め決定されたマッピングを提供するように構成された、請求項１５に記載の方法。
【請求項１９】
前記選択的に切り換えることはさらに、前記複数の送信回路のうちのどれがアクティブであるかに基づいて選択的に切り換えることを備える、請求項１４に記載の方法。
【請求項２０】
前記動作モードは、前記複数のアンテナのおのおのに対する物体の近接度を感知するように構成された複数の近接度センサの状態情報に少なくとも部分的に基づく、請求項１４に記載の方法。
【請求項２１】
前記選択的に切り換えることはさらに、さらに前記無線通信装置のパフォーマンス特性に基づいて、前記複数の送信回路のおのおのを、前記複数のアンテナのうちの対応する１つを介して通信するように選択的に切り換えることを備える、請求項１４に記載の方法。
【請求項２２】
前記パフォーマンス特性は、前記複数の送信回路のうちの少なくとも１つの送信電力レベルと、前記複数のアンテナのうちの少なくとも２つのアンテナ間の干渉量と、前記複数の送信回路のうちの少なくとも１つの目標サービス品質レベルと、前記複数の送信回路のうちの少なくとも１つの送信電力レベルの規制要件とを備える、請求項２１に記載の方法。
【請求項２３】
前記動作モードは、前記無線通信装置のユーザへの近接度と、前記無線通信装置の方位と、通信モードと、前記複数のアンテナのうちの何れかが遮られていることに基づく情報と、のうちの少なくとも１つに基づく、請求項１４に記載の方法。
【請求項２４】
前記選択的に切り換えることは、前記複数の送信回路のうちのアクティブな送信回路の数の変化と、前記複数の送信回路のおのおののデータの優先度レベルの変化と、前記無線通信装置の動作モードの変化と、のうちの少なくとも１つを示すインジケーションを受信することに応じて、選択的に切り換えることを備える、請求項１４に記載の方法。
【請求項２５】
無線通信装置であって、
前記無線通信装置の検出された動作モードと、複数の送信回路のおのおののデータの優先度レベルのうちの少なくとも１つを示すインジケーションを受信する手段と、ここで、前記複数の送信回路のおのおのは、異なるラジオ・アクセス技法にしたがって送信するように構成されている、
前記無線通信装置の検出された動作モードと、前記複数の送信回路のおのおののデータの優先度レベルとに基づいて、さらに前記送信回路のおのおののアンテナ優先権に基づいて、複数のアンテナのうちの対応する１つによって無線通信を送信するように、前記複数の送信回路のおのおのを選択的に切り換える手段とを備え、
おのおののアンテナ優先権は、前記複数の送信回路のおのおのの電力制限、または、前記複数の送信回路のうちの少なくとも１つの送信電力レベル、のうちの少なくとも１つの基づく無線通信装置。
【請求項２６】
前記選択的に切り換える手段は、前記検出された動作モードと、前記優先度レベルの組み合わせについて、前記複数の送信回路の、前記複数のアンテナへの予め決定されたマッピングに基づいて、選択的に切り換える手段を備える、請求項２５の無線通信装置。
【請求項２７】
前記複数の送信回路の、前記複数のアンテナへの予め決定されたマッピングは、前記動作モード、前記複数の送信回路のうちのアクティブな送信回路の現在のセット、前記アクティブな送信回路のセットの優先度レベル、および、前記複数の送信回路のおのおののアンテナ優先権、からなるおのおのの組み合わせについて固定されている、請求項２６の無線通信装置。
【請求項２８】
前記検出された動作モードを、決定された値にマップする手段と、
前記決定された値を、ルックアップ・テーブルに提供する手段とをさらに備え、
前記ルックアップ・テーブルは、前記決定された値に基づいて、前記予め決定されたマッピングを提供するように構成された、請求項２６の無線通信装置。
【請求項２９】
前記選択的に切り換える手段はさらに、前記複数の送信回路のうちのどれがアクティブであるかに基づいて選択的に切り換える手段を備える、請求項２５の無線通信装置。
【請求項３０】
前記動作モードは、前記複数のアンテナのおのおのに対する物体の近接度を感知するように構成された複数の近接度センサの状態情報に少なくとも部分的に基づく、請求項２５の無線通信装置。
【請求項３１】
前記選択的に切り換える手段はさらに、さらに前記無線通信装置のパフォーマンス特性に基づいて、前記複数の送信回路のおのおのを、前記複数のアンテナのうちの対応する１つを介して通信するように選択的に切り換える手段を備える、請求項２５の無線通信装置。
【請求項３２】
前記動作モードは、前記無線通信装置のユーザへの近接度と、前記無線通信装置の方位と、通信モードと、前記複数のアンテナのうちの何れかが遮られていることに基づく情報と、のうちの少なくとも１つに基づく、請求項２５の無線通信装置。
【請求項３３】
前記選択的に切り換える手段は、前記複数の送信回路のうちのアクティブな送信回路の数の変化と、前記複数の送信回路のおのおののデータの優先度レベルの変化と、前記無線通信装置の動作モードの変化と、のうちの少なくとも１つを示すインジケーションを受信することに応じて、選択的に切り換える手段を備える、請求項２５の無線通信装置。
【請求項３４】
コンピュータ・プログラム製品であって、
無線通信装置の検出された動作モードと、複数の送信回路のおのおののデータの優先度レベルのうちの少なくとも１つを示すインジケーションを受信するためのコードと、ここで、前記複数の送信回路のおのおのは、異なるラジオ・アクセス技法にしたがって送信するように構成されている、
前記無線通信装置の検出された動作モードと、前記複数の送信回路のおのおののデータの優先度レベルとに基づいて、さらに前記送信回路のおのおののアンテナ優先権に基づいて、複数のアンテナのうちの対応する１つによって無線通信を送信するように、前記複数の送信回路のおのおのを選択的に切り換えるためのコードとを備える非一時的コンピュータ読取可能な媒体を備え、
おのおののアンテナ優先権は、前記複数の送信回路のおのおのの電力制限、または、前記複数の送信回路のうちの少なくとも１つの送信電力レベル、のうちの少なくとも１つの基づくコンピュータ・プログラム製品。
【請求項３５】
前記選択的に切り換えるためのコードは、前記検出された動作モードと、前記優先度レベルの組み合わせについて、前記複数の送信回路の、前記複数のアンテナへの予め決定されたマッピングに基づいて、選択的に切り換えるためのコードを備える、請求項３４に記載のコンピュータ・プログラム製品。
【請求項３６】
前記複数の送信回路の、前記複数のアンテナへの予め決定されたマッピングは、前記動作モード、前記複数の送信回路のうちのアクティブな送信回路の現在のセット、前記アクティブな送信回路のセットの優先度レベル、および、前記複数の送信回路のおのおののアンテナ優先権、からなるおのおのの組み合わせについて固定されている、請求項３５に記載のコンピュータ・プログラム製品。
【請求項３７】
前記選択的に切り換えるためのコードはさらに、前記複数の送信回路のうちのどれがアクティブであるかに基づいて選択的に切り換えるためのコードを備える、請求項３４に記載のコンピュータ・プログラム製品。
【請求項３８】
前記動作モードは、前記複数のアンテナのおのおのに対する物体の近接度を感知するように構成された複数の近接度センサの状態情報に少なくとも部分的に基づく、請求項３４に記載のコンピュータ・プログラム製品。
【請求項３９】
前記選択的に切り換えるためのコードはさらに、さらに前記無線通信装置のパフォーマンス特性に基づいて、前記複数の送信回路のおのおのを、前記複数のアンテナのうちの対応する１つを介して通信するように選択的に切り換えるためのコードを備える、請求項３４に記載のコンピュータ・プログラム製品。
【請求項４０】
前記動作モードは、前記無線通信装置のユーザへの近接度と、前記無線通信装置の方位と、通信モードと、前記複数のアンテナのうちの何れかが遮られていることに基づく情報と、のうちの少なくとも１つに基づく、請求項３４に記載のコンピュータ・プログラム製品。
【請求項４１】
前記選択的に切り換えるためのコードは、前記複数の送信回路のうちのアクティブな送信回路の数の変化と、前記複数の送信回路のおのおののデータの優先度レベルの変化と、前記無線通信装置の動作モードの変化と、のうちの少なくとも１つを示すインジケーションを受信することに応じて、選択的に切り換えるためのコードを備える、請求項３４に記載のコンピュータ・プログラム製品。
【手続補正２】
【補正対象書類名】明細書
【補正対象項目名】０１１４
【補正方法】変更
【補正の内容】
【０１１４】
同様に、これら動作は、特定の順序で図中に示されているが、これは、所望される結果を達成するために、このような動作が、図示された特定の順序または連続順で実行されることも、例示されたすべての動作が実行されることも、必要であるとは理解されるべきではない。ある状況では、マルチタスクおよび並行処理が有利でありうる。さらに、前述された実施形態におけるさまざまなシステム構成要素を分離することは、すべての実施形態においてこのような分離を必要とするとは理解されるべきではなく、記載されたプログラム構成要素およびシステムは、一般に、単一のソフトウェア製品内にともに組み込まれうるか、複数のソフトウェア製品にパッケージされうることが理解されるべきである。さらに、その他の実施形態は、以下に示す特許請求の範囲のスコープ内にある。いくつかのケースでは、特許請求の範囲において記載された動作は、別の順序で実行され、依然として所望の結果を達成しうる。
以下に、本願出願の当初の特許請求の範囲に記載された発明を付記する。
［１］  無線通信装置であって、
複数のアンテナと、
複数の送信回路と、ここで、前記複数の送信回路のおのおのは、異なるラジオ・アクセス技法にしたがって送信するように構成されている、
前記無線通信装置の検出された動作モードと、前記複数の送信回路のおのおののデータの優先度レベルとに基づいて、前記複数のアンテナのうちの対応する１つを介して無線通信を送信するように、前記複数の送信回路のおのおのを選択的に切り換えるように構成されたコントローラと、
を備える無線通信装置。
［２］  前記コントローラはさらに、前記検出された動作モードと前記優先度レベルの組み合わせについて、前記複数の送信回路の、前記複数のアンテナへの予め決定されたマッピングに基づいて選択的に切り換えるように構成された、［１］の無線通信装置。
［３］  前記予め決定されたマッピングを格納するように構成されたメモリ、をさらに備える［２］の無線通信装置。
［４］  前記複数の送信回路の、前記複数のアンテナへの予め決定されたマッピングは、前記動作モード、前記複数の送信回路のうちのアクティブな送信回路の現在のセット、前記アクティブな送信回路のセットの優先度レベル、および、前記複数の送信回路のおのおのの送信回路優先権、からなるおのおのの組み合わせについて固定されている、［２］の無線通信装置。
［５］  前記複数の送信回路のおのおのの優先権は、前記複数の送信回路のおのおのの電力制限に基づき、前記優先度レベルは、データ通信よりも高い優先度を有する音声通信またはデータ・オンリー通信に基づく、［４］の無線通信装置。
［６］  前記コントローラは、前記検出された動作モードを、決定された値にマップすることと、前記決定された値を、ルックアップ・テーブルに提供することとによって、前記予め決定されたマッピングに基づいて選択的に切り換えるように構成され、
前記ルックアップ・テーブルは、前記決定された値に基づいて、前記予め決定されたマッピングを提供するように構成された、［４］の無線通信装置。
［７］  前記コントローラはさらに、前記複数の送信回路のうちのどれがアクティブであるかに基づいて、選択的に切り換えるように構成された、［１］の無線通信装置。
［８］  前記複数のアンテナのおのおのに対する物体の近接度を感知するように構成された複数の近接度センサをさらに備え、
前記検出された動作モードは、前記複数の近接度センサの状態情報に少なくとも部分的に基づく、［１］の無線通信装置。
［９］  前記コントローラは、さらに前記無線通信装置のパフォーマンス特性に基づいて、前記複数のアンテナのうちの対応する１つを介して通信するように、前記複数の送信回路のおのおのを選択的に切り換えるように構成された、［１］の無線通信装置。
［１０］  前記パフォーマンス特性は、前記複数の送信回路のうちの少なくとも１つの送信電力レベルと、前記複数のアンテナのうちの少なくとも２つのアンテナ間の干渉量と、前記複数の送信回路のうちの少なくとも１つの目標サービス品質レベルと、前記複数の送信回路のうちの少なくとも１つの送信電力レベルの規制要件とを備える、［９］の無線通信装置。
［１１］  前記動作モードは、前記無線通信装置のユーザへの近接度と、前記無線通信装置の方位と、通信モードと、前記複数のアンテナのうちの何れかが遮られていることに基づく情報と、のうちの少なくとも１つに基づく、［１］の無線通信装置。
［１２］  前記コントローラは、前記複数の送信回路のうちのアクティブな送信回路の数の変化と、前記複数の送信回路のおのおののデータの優先度レベルの変化と、前記無線通信装置の動作モードの変化と、のうちの少なくとも１つを示すインジケーションを受信することに応じて、選択的に切り換えるように構成された、［１］の無線通信装置。
［１３］  前記ラジオ・アクセス技法タイプは、無線広域ネットワーク、無線ローカル・エリア・ネットワーク、音声通信を送信するための無線ネットワーク、データ通信を送信するための無線ネットワーク、またはこれらの任意の組み合わせのうちの少なくとも１つに対応する、［１］の無線通信装置。
［１４］  無線通信装置において実施される方法であって、
前記無線通信装置の検出された動作モードと、複数の送信回路のおのおののデータの優先度レベルのうちの少なくとも１つを示すインジケーションを受信することと、ここで、前記複数の送信回路のおのおのは、異なるラジオ・アクセス技法にしたがって送信するように構成されている、
前記無線通信装置の検出された動作モードと、前記複数の送信回路のおのおののデータの優先度レベルに基づいて、前記複数の送信回路のおのおのを、複数のアンテナのうちの対応する１つを介して無線通信を送信するように選択的に切り換えることと、
を備える方法。
［１５］  前記選択的に切り換えることは、前記検出された動作モードと、前記優先度レベルの組み合わせについて、前記複数の送信回路の、前記複数のアンテナへの予め決定されたマッピングに基づいて選択的に切り換えることを備える、［１４］に記載の方法。
［１６］  前記複数の送信回路の、前記複数のアンテナへの予め決定されたマッピングは、前記動作モード、前記複数の送信回路のうちのアクティブな送信回路の現在のセット、前記アクティブな送信回路のセットの優先度レベル、および、前記複数の送信回路のおのおのの送信回路優先権、からなるおのおのの組み合わせについて固定されている、［１５］に記載の方法。
［１７］  前記複数の送信回路のおのおのの優先権は、前記複数の送信回路のおのおのの電力制限に基づき、前記優先度レベルは、データ通信よりも高い優先度を有する音声通信、または、データ・オンリー通信に基づく、［１６］に記載の方法。
［１８］  前記検出された動作モードを、決定された値にマップすることと、
前記決定された値を、ルックアップ・テーブルに提供することとをさらに備え、
前記ルックアップ・テーブルは、前記決定された値に基づいて、前記予め決定されたマッピングを提供するように構成された、［１５］に記載の方法。
［１９］  前記選択的に切り換えることはさらに、前記複数の送信回路のうちのどれがアクティブであるかに基づいて選択的に切り換えることを備える、［１４］に記載の方法。
［２０］  前記動作モードは、前記複数のアンテナのおのおのに対する物体の近接度を感知するように構成された複数の近接度センサの状態情報に少なくとも部分的に基づく、［１４］に記載の方法。
［２１］  前記選択的に切り換えることはさらに、さらに前記無線通信装置のパフォーマンス特性に基づいて、前記複数の送信回路のおのおのを、前記複数のアンテナのうちの対応する１つを介して通信するように選択的に切り換えることを備える、［１４］に記載の方法。
［２２］  前記パフォーマンス特性は、前記複数の送信回路のうちの少なくとも１つの送信電力レベルと、前記複数のアンテナのうちの少なくとも２つのアンテナ間の干渉量と、前記複数の送信回路のうちの少なくとも１つの目標サービス品質レベルと、前記複数の送信回路のうちの少なくとも１つの送信電力レベルの規制要件とを備える、［２１］に記載の方法。
［２３］  前記動作モードは、前記無線通信装置のユーザへの近接度と、前記無線通信装置の方位と、通信モードと、前記複数のアンテナのうちの何れかが遮られていることに基づく情報と、のうちの少なくとも１つに基づく、［１４］に記載の方法。
［２４］  前記選択的に切り換えることは、前記複数の送信回路のうちのアクティブな送信回路の数の変化と、前記複数の送信回路のおのおののデータの優先度レベルの変化と、前記無線通信装置の動作モードの変化と、のうちの少なくとも１つを示すインジケーションを受信することに応じて、選択的に切り換えることを備える、［１４］に記載の方法。
［２５］  無線通信装置であって、
前記無線通信装置の検出された動作モードと、複数の送信回路のおのおののデータの優先度レベルのうちの少なくとも１つを示すインジケーションを受信する手段と、ここで、前記複数の送信回路のおのおのは、異なるラジオ・アクセス技法にしたがって送信するように構成されている、
前記無線通信装置の検出された動作モードと、前記複数の送信回路のおのおののデータの優先度レベルとに基づいて、複数のアンテナのうちの対応する１つによって無線通信を送信するように、前記複数の送信回路のおのおのを選択的に切り換える手段と、
を備える無線通信装置。
［２６］  前記選択的に切り換える手段は、前記検出された動作モードと、前記優先度レベルの組み合わせについて、前記複数の送信回路の、前記複数のアンテナへの予め決定されたマッピングに基づいて、選択的に切り換える手段を備える、［２５］の無線通信装置。
［２７］  前記複数の送信回路の、前記複数のアンテナへの予め決定されたマッピングは、前記動作モード、前記複数の送信回路のうちのアクティブな送信回路の現在のセット、前記アクティブな送信回路のセットの優先度レベル、および、前記複数の送信回路のおのおのの送信回路優先権、からなるおのおのの組み合わせについて固定されている、［２６］の無線通信装置。
［２８］  前記検出された動作モードを、決定された値にマップする手段と、
前記決定された値を、ルックアップ・テーブルに提供する手段とをさらに備え、
前記ルックアップ・テーブルは、前記決定された値に基づいて、前記予め決定されたマッピングを提供するように構成された、［２６］の無線通信装置。
［２９］  前記選択的に切り換える手段はさらに、前記複数の送信回路のうちのどれがアクティブであるかに基づいて選択的に切り換える手段を備える、［２５］の無線通信装置。
［３０］  前記動作モードは、前記複数のアンテナのおのおのに対する物体の近接度を感知するように構成された複数の近接度センサの状態情報に少なくとも部分的に基づく、［２５］の無線通信装置。
［３１］  前記選択的に切り換える手段はさらに、さらに前記無線通信装置のパフォーマンス特性に基づいて、前記複数の送信回路のおのおのを、前記複数のアンテナのうちの対応する１つを介して通信するように選択的に切り換える手段を備える、［２５］の無線通信装置。
［３２］  前記動作モードは、前記無線通信装置のユーザへの近接度と、前記無線通信装置の方位と、通信モードと、前記複数のアンテナのうちの何れかが遮られていることに基づく情報と、のうちの少なくとも１つに基づく、［２５］の無線通信装置。
［３３］  前記選択的に切り換える手段は、前記複数の送信回路のうちのアクティブな送信回路の数の変化と、前記複数の送信回路のおのおののデータの優先度レベルの変化と、前記無線通信装置の動作モードの変化と、のうちの少なくとも１つを示すインジケーションを受信することに応じて、選択的に切り換える手段を備える、［２５］の無線通信装置。
［３４］  コンピュータ・プログラム製品であって、
無線通信装置の検出された動作モードと、複数の送信回路のおのおののデータの優先度レベルのうちの少なくとも１つを示すインジケーションを受信するためのコードと、ここで、前記複数の送信回路のおのおのは、異なるラジオ・アクセス技法にしたがって送信するように構成されている、
前記無線通信装置の検出された動作モードと、前記複数の送信回路のおのおののデータの優先度レベルとに基づいて、複数のアンテナのうちの対応する１つによって無線通信を送信するように、前記複数の送信回路のおのおのを選択的に切り換えるためのコードと、
を備えるコンピュータ読取可能な媒体、を備えるコンピュータ・プログラム製品。
［３５］  前記選択的に切り換えるためのコードは、前記検出された動作モードと、前記優先度レベルの組み合わせについて、前記複数の送信回路の、前記複数のアンテナへの予め決定されたマッピングに基づいて、選択的に切り換えるためのコードを備える、［３４］に記載のコンピュータ・プログラム製品。
［３６］  前記複数の送信回路の、前記複数のアンテナへの予め決定されたマッピングは、前記動作モード、前記複数の送信回路のうちのアクティブな送信回路の現在のセット、前記アクティブな送信回路のセットの優先度レベル、および、前記複数の送信回路のおのおのの送信回路優先権、からなるおのおのの組み合わせについて固定されている、［３５］に記載のコンピュータ・プログラム製品。
［３７］  前記選択的に切り換えるためのコードはさらに、前記複数の送信回路のうちのどれがアクティブであるかに基づいて選択的に切り換えるためのコードを備える、［３４］に記載のコンピュータ・プログラム製品。
［３８］  前記動作モードは、前記複数のアンテナのおのおのに対する物体の近接度を感知するように構成された複数の近接度センサの状態情報に少なくとも部分的に基づく、［３４］に記載のコンピュータ・プログラム製品。
［３９］  前記選択的に切り換えるためのコードはさらに、さらに前記無線通信装置のパフォーマンス特性に基づいて、前記複数の送信回路のおのおのを、前記複数のアンテナのうちの対応する１つを介して通信するように選択的に切り換えるためのコードを備える、［３４］に記載のコンピュータ・プログラム製品。
［４０］  前記動作モードは、前記無線通信装置のユーザへの近接度と、前記無線通信装置の方位と、通信モードと、前記複数のアンテナのうちの何れかが遮られていることに基づく情報と、のうちの少なくとも１つに基づく、［３４］に記載のコンピュータ・プログラム製品。
［４１］  前記選択的に切り換えるためのコードは、前記複数の送信回路のうちのアクティブな送信回路の数の変化と、前記複数の送信回路のおのおののデータの優先度レベルの変化と、前記無線通信装置の動作モードの変化と、のうちの少なくとも１つを示すインジケーションを受信することに応じて、選択的に切り換えるためのコードを備える、［３４］に記載のコンピュータ・プログラム製品。